(57)【要約】      （修正有）【課題】図画や写真等を特に加工せずに、比較的大きな画面でも均等に照らす事ができる照明付き額縁を提供する。【解決手段】箱形状筐体の外周壁面の中空内面に沿い近接して直線状に設けられる光源、及び、光源近傍の筐体縁辺部と底面の相対する各内面位置に設けられる一対の反射面、ならびに筐体縁辺部に囲まれる中央に設けられるガラスあるいはアクリル等透明板からなる。これを相対する縁辺部に一対設けることにより補完効果によって被照明体の表面を全面にわたり略均等に照明する。【選択図】図１
0003158857.tif 000002
【実用新案登録請求の範囲】
【請求項１】
箱形状筐体の外周壁面の中空内面に沿い近接して直線状に設けられる光源及び該光源近傍の該筐体縁辺部と底面の相対する各内面位置に設けられる一対の反射面ならびに該筐体縁辺部に囲まれる中央に設けられるガラスあるいはアクリル等透明板の組み合わせで、該筐体底面内部に設置される図画や写真あるいは文書等被照明体を照射できるようにした照明付き額縁。
【請求項２】
請求項１に記載の照明付き額縁において箱形状筐体の外周壁面の中空内面に沿い近接して直線状に設けられる光源及び該光源近傍の該筐体縁辺部と底面の相対する各内面位置に設けられる一対の反射面より成る一組の光源系とこれと同じ構成のもう一組の光源系を相対する該筐体の外周壁面の中空内面に沿い設け該筐体縁辺部に囲まれる中央に設けられるガラスあるいはアクリル等透明板を共有することで、二組の光源系それぞれが照度を相互補完して被照明体を略均等に照射できるようにした照明付き額縁。
【請求項３】
請求項１に記載の照明付き額縁において直線状に設けられる光源の背面に反射面を有する材料あるいは前面に集光レンズ等光路を屈折変更させる装置を付加して光路調節し被照明体を照射できるようにした照明付き額縁。
【請求項４】
請求項１に記載の照明付き額縁において直線状に設けられる光源の近傍光路中で額縁縁辺部より下部に透明ないしは半透明の光拡散板を付加し被照明体を照射できるようにした照明付き額縁。
【考案の詳細な説明】
【技術分野】
【０００１】本考案は箱型形状の額縁の縁辺内部に照明装置を持ち、その底面に設置される図画や写真あるいは文書等被照明体（以下被照明体）を照明する額縁、写真立て、表示板等（以下額縁等）の装置および方式に関するものである。
【背景技術】
【０００２】近年いわゆる「デジタルフォトフレーム」としてデジタルカメラで得たデジタルの写真情報を液晶表示装置で多様に表示する専用機器は商品化され広まりつつある。また写真をフィルムや透明な樹脂板に特別の方法で半透明状態に印刷しその背面からいわゆるバックライト光源で照射する表示装置も存在するが、下記文献のように図画や写真等の画面が印刷あるいは印画された紙や布等画材の現物をそのまま照明表示する額縁や写真立てのような装置は現時点で市場ではほとんど確認できない。
【実用新案文献】
登録実用新案第３１５４０２２号
【実用新案文献】
実願２００９−００７９４６
【考案の開示】
【０００３】本考案は、筐体外周壁面の中空内部に沿って設けられた光源で該筐体内に装着された被照明体をそのままの状態で厚みが小さいわりに比較的大きな表面積を有するにもかかわらずほぼ均等に照明できる額縁を提供する。被照明体の表面積は例えばハガキより大きくポスター程度までとし筐体の厚みは数センチ程度以下の実用的な形態を実現する。
【考案が解決しようとする課題】
【０００４】前述のように額縁の筐体は図画等被照明体の表面積に比しその厚みが小さいため被照明体を該筐体の底面中央部に特に加工せず配設しその表面側で比較的内部空間のとれる額縁筐体の周辺部（縁辺部）内に収納した光源で該被照明体を前方から照射する構成が自然である。しかしこの際光源は被照明体をななめ横から照明することになるので光源に近い部分は明るく遠い部分は暗くなりやすく従って該額縁周囲の縁辺部内に多くの照明用光源を設けても被照明体の周辺部は明るく中央部は暗くなって均等に照明されない傾向がある。本考案はこのような構成にあっても被照明体をほぼ均一な照度で照明するため、光源の形態、光路の反射や屈折の仕方および被照明体との相互位置関係等を最適になるよう構成し簡単な構造ながら均等で鮮明な照明付き額縁の実現を図る。
【課題を解決するための手段】
【０００５】本考案の照明付き額縁はその箱型筐体内の底面に被照明体を装着し、その周囲上方の額縁縁辺部の内側に設けられた空間の外壁側に光源を収納するが、その主軸光が額縁上面に設けられる透明ガラスあるいはアクリル等樹脂面（以下透明板）にほぼ平行もしくはわずかに下方の底面の被照明体方向に向いて出射されるように設定される。該光源は蛍光管や冷陰極管（ＣＣＦＬ）のような線状の発光体あるいは発光ダイオード（ＬＥＤ）を複数直線上に適宜並べたものを該額縁の一縁辺もしくは二縁辺以上の内部に設けて構成し、該光源から放射状に出射される光が直接的に該被照明体を照射すると同時に、直達しない光は該額縁の縁辺部及び向かい合う底面の内側で相対するように設けられる一対の反射面や上面の該透明板の内側裏面とで構成される反射系で反射され該被照明体を照明する。ここに前記の該被照明体に直達する光は光源に近い部分は明るく遠く離れた部分は拡散した光があたるのでより暗くなり前述のように被照明体の照度にはムラが生じ均質で鮮明な照明が得にくくなってしまうが、本考案はこのような不都合を光源からの非直達光を該反射系の反射で光源より遠方まで照射されるよう有効に活用する方法を用いることで抑制もしくは解消する。特に該光源の額縁縁辺部の対抗側に前記と同様な光源と反射面を配設すると両光源が一対となって相互に照度を補完できるためより均等な照度の照明が可能となる。
【考案の効果】
【０００６】本考案により、簡易に図画や写真や文書等を新たに加工されることなく通常状態のまま比較的大きい画面でも均等な明るさで前面より照明できる額縁は写真立てとして転用できるのはもちろん、業務用の照明付き広告板、展示装置、表示板等にも活用できる。本考案により、飾りたいものや思い出の品を明るく照らしてより美しく演出し見る人に安らぎを与え、また人目をひきたい事物を鮮明に強く訴求でき併せて夜間照明にも利用できる新商品分野の開拓が期待できる。
【実施例】
【０００７】以下、本考案を図１および図２の応用実施例について説明する。図１は本考案による装置の代表例としての照明付き額縁の構造の概略斜視図であり、図２は図１のＸ−Ｘ側断面図である。本装置の構造は主に該照明付き額縁筐体の本体（１）、額縁縁辺部（２）額縁筐体上部中央の透明板（３）、筐体の底面（６）の主構造体と額縁縁辺部（２）の内面に設けられた照明用の光源（４）、近傍に設けられる一対の反射面（７）および照明される図画、写真等被照明体（５）で構成される。【０００８】図１におけるＹ−Ｙ線は該額縁本体（１）の筐体の紙面に垂直な概して長手方向を示し、額縁縁辺部（２）内に設置される光源（４）はその形態が蛍光管やＣＣＦＬ等線状光源とみなせる場合はその長手方向をこれと平行な方向に、複数のＬＥＤを適宜並べる場合は同様平行な直線上に適宜装着する。それぞれの配設状態を図１の右側縁辺部および左側縁辺部に破線で示す。図２の側断面はこの線状光源（４）から出射された光の光路で本考案の作用効果を示す。光源（４）からはその側断面方向には筐体内部方向に放射状に光が発散されるが、その光路中太い実線で示すものは筐体の底面（６）上に設けられる被照明体（５）に向かう直達光で、特に光源（４）が長手方向の光の発散を屈折や反射により制御されない通常の場合該被照明体（５）に近いＡ部は光量が多くて明るく逆に遠いＢ部は光量が少なくて相対的に暗くなる。この照度はほぼＡ部からの距離の二乗に反比例するため仮にこの対抗する反対側に同様光源を設けて補完しようとしても両者の照らす中央部は最も暗くなり均等な照度は得られない。上記直接被照明体（５）に向かう直達光以外の光路を破線、鎖線等で示すが反射面（７）および透明板（３）で反射されＡ部より遠方のＢ部近くまで到達できる。これは同図のように額縁縁辺部（２）内で下方向きに設けられる反射面（７）及びその対抗する下方の底面の一部に設けられる反射面（７）で光が一回あるいは複数回反射してから被照明体（５）に向かったり、透明板（３）に至ってここで再度反射してから被照明体（５）に向かったりしてより遠方に運ばれるためである。この結果光源より離れた位置まで被照明体（５）は照らされ照度は大きく改善される。なお透明板（３）には光の入射角が十分小さい（５度程度以下）とき全反射となり遠方の照明に効果が大きくなるのでなるべくこれに近くなるよう光源（４）と光の主軸（図２の２点鎖線で示す）方向及び反射面（７）の組み合わせや位置等は設定される。具体的には光源（４）を上方に持ち上げ、光主軸方向を透明板（３）と平行ないしやや下方とすると全反射を得やすくなるが光源（４）の形態、額縁の形状、透明板（３）の特性から総合的に判断し相互の位置や形態は適宜決定される。【０００９】光源（４）が蛍光管やＣＣＦＬ等では光路がその背面にも向かうので略放物線断面の反射鏡（８）で前方（筐体内被照明体方向）に反射させたり、ＬＥＤのように個々には点光源では前方に適当な立体角内に屈折する略凸形レンズ（８１）を設けたりして光路を整え本考案の目的を補足し得る。また、ＬＥＤ光源の場合光路中に透明あるいは半透明な光拡散板（９）を設けるとより線光源の特性に近づけ照明効果も向上することがある。該反射鏡（８）、レンズ（８１）あるいは光拡散板（９）はいずれも額縁縁辺部（２）の下方に収納され額縁筐体の上方からは見えないようにされる。なお、図２のように右側の筐体本体（１）の壁面内側に反射面（７）を設け直達光の一部や透明板（３）からの反射光を反射して被照明体（５）のＢ部近傍の照明の向上に供することも可能であるが、通常は図１のように相対する一対の額縁縁辺部（２）にそれぞれ光源と反射系を設けて既述のように両光源による照度補完作用により略均一な照明効果を得るようにする。残りの各額縁縁辺部（２）にも同上の光源と反射系を設けることはさらに全体の照度向上になり必要応じて設定され得る。
【図面の簡単な説明】
【００１０】
【図１】本考案に係る構造の概略斜視図
【図２】本考案の側面断面図（図１のＸ−Ｘ断面部）
【符号の説明】
【００１１】（１）本体    （２）縁辺部    （３）透明板    （４）光源    （５）被照明体
（６）底面    （７）反射面    （８）反射鏡    （９）光拡散板    （８１）レンズ
【図１】
0003158857.tif 000003
【図２】
0003158857.tif 000004